(57)【特許請求の範囲】
【請求項１】
それぞれが電流源となる、ソースを電源に接続する第１ポンプトランジスターおよびソースを接地する第２ポンプトランジスターと、
第１〜第４のスイッチング手段であって、それぞれ第１端、第２端、第３端を有し、前記第１および第２スイッチング手段の前記第１端を前記第１ポンプトランジスターのドレインに接続するとともに、前記第３および第４スイッチング手段の第２端を前記第２ポンプトランジスターのドレインに接続し、前記第１および第２スイッチング手段の第２端をそれぞれ前記第３および第４スイッチング手段の前記第１端に接続し、かつ前記第１および第２スイッチング手段の前記第３端を相互接続し、前記第３および第４スイッチング手段の第３端を相互接続するものにおいて、
前記した第１〜第４のスイッチング手段が、それぞれ、
前記第１ポンプトランジスターに接続されるとともに、飽和領域で動作するスイッチングトランジスターと、
それぞれ線形領域で動作し、前記電源と前記スイッチングトランジスターのゲートとの間に接続される第１制御トランジスター、および前記第３端と前記スイッチングトランジスターのゲートとの間に接続される第２制御トランジスターと、
回路に必要なバイアスを提供するものであって、前記電源および前記第１ポンプトランジスターのゲートならびに前記スイッチング手段の前記第３端に接続される第１ワイドスイングカレントミラーと、
前記接地端に接続され、前記第２ポンプトランジスターのゲートおよび前記第４スイッチング手段の前記第３端に接続される第２ワイドスイングカレントミラーと
を設けたものであるロークロック・フィードスルー・チャージポンプ回路。
【請求項２】
上記第１ワイドスイングカレントミラーが、さらに、
上記電源と上記接地端との間に接続され、２トランジスターのカスコードにより構成されるものであって、第１トランジスターのゲートを上記第１スイッチング手段の上記第３端に接続し、第２トランジスターのゲートを上記第１ポンプトランジスターのゲートおよび前記第１トランジスターのドレインに接続する第１カスコードトランジスター回路と、
前記第１カスコードトランジスター回路に接続される第１電流バイアス回路とを具備するものである請求項１記載のロークロック・フィードスルー・チャージポンプ回路。
【請求項３】
上記第２ワイドスイングカレントミラーが、さらに、
２トランジスターのカスコードにより構成されるものであって、第１トランジスターのゲートを上記第４スイッチング手段の上記第３端に接続し、第２トランジスターのゲートを上記第２ポンプトランジスターのゲートおよび前記第１トランジスターのドレインに接続するとともに、入力電流源を前記第１トランジスターのドレインに接続して、上記ロークロック・フィードスルー・チャージポンプ回路の入力電流を提供する第２カスコードトランジスター回路と、
上記第１電流バイアス回路、上記第１カスコードトランジスター回路、前記第２カスコードトランジスター回路、前記第４スイッチング手段、上記第２ポンプトランジスター間に接続される複数個のカスコードトランジスター回路と、
前記した複数個のカスコードトランジスター回路に接続される第２電流バイアス回路と
を具備するものである請求項１または２記載のロークロック・フィードスルー・チャージポンプ回路。
【発明の詳細な説明】
【０００１】
【産業上の利用分野】
この発明は、位相同期ループ（phase-locked loop = PLL）回路に関し、特に、位相同期ループ中のチャージポンプ（charge pump）回路に関する。
【０００２】
【従来の技術】
現在、半導体技術の大幅な進歩により、近年、コンピューターの動作速度がますます速いものとなっているが、その反面、動作周波数の増大によって、消費電力もますます大きなものとなっている。従って、消費電力を低減させるために、現在、コンピューターの動作電圧が次第に低電圧化してきており、従来の５Ｖから３．３Ｖへ低下し、現在さらに２．５Ｖとなり、今後は２．０Ｖにまで下がるものと見られる。このような電源電圧の低下にともなって、低電圧という条件のもとで動作できるように、多くの電気回路が設計変更されており、例えば、クロックを提供する発振器がその一例である。現在のコンピューターシステムは、その運用において、多周波数のクロックを同時に使用していて、そのうちの大部分が位相同期ループを使用しており、１つの基準クロックからその他の比率の異なる周波数クロックを発生させて、システム中にある多くのサブシステムで使用するように構成されている。そして、位相同期ループの性能に影響を与える１つの主要な部分は、電圧制御発振器である。電圧制御発振器の性能に対する評価は、その長期ジターならびに短期ジター（long term jitter and short term jitter）と電源電圧変動の影響を受ける状況とによって決まる。
【０００３】
図１において、位相同期ループ回路は、その基本的な構成要素として、位相検出器１０と、チャージポンプ１２と、低域通過型フィルター（low pass filter = LPF）１４と、電圧制御発振器（voltage controlled oscillator = VCO）１６とを含んでいる。一般的に、もしも電圧制御発振器１６に入力される電圧信号の起伏変化が小さければ小さいほど、その出力電圧のジターがより小さなものとなり、それによって初めて位相同期ループが安定した電圧周波数を出力することができる。そして、電圧制御発振器１６に入力される電圧信号の起伏変化をより小さいものとするためには、チャージポンプ１２内部の２つの電流源を同等なものとする必要がある。
【０００４】
【発明が解決しようとする課題】
図２において、従来技術にかかるチャージポンプ１２は、スイッチＳＷ１，ＳＷバー１，ＳＷ２，ＳＷバー２が、線形領域で動作するトランジスターから構成されていた。トランジスターがオンからオフとなる時、ドレインに蓄積された電荷を放出しなければならないから、電荷注入現象（charge injection）が発生するものとなっていた。もしもドレインに蓄積されている電荷が少なければ少ないほど、電荷注入の影響がより小さいものとなるから、ＶＯＣ（電圧制御発振器１６）の制御電圧には、ほとんど変化がない。しかしながら、スイッチＳＷバー１，ＳＷバー２が線形領域で動作するので、そのオンとオフとの間において、トランジスターのチャネルに電荷が蓄積されるとともに、大部分のドレイン付近に蓄積された電荷が放出されてしまい、これが出力される電圧値に影響を及ぼすものとなっていた。
【０００５】
トランジスターＱが、電流ＩをトランジスターＴ２および電流源Ｉ２にカレントミラーする。従って、もしもノードＰ３の電圧がノードＰ４の電圧に等しい時、電流源Ｉ２とトランジスターＴ２との電流量が同等なものとなる。かりにノードＰ４の電圧がある一定値であり、もしもノードＰ３の電圧がノードＰ４の値よりも大きければ、チャネル変調の関係で電流Ｉ１が電流源Ｉ２より少し大きなものとなっていた。しかしながら、ノードＰ２の電圧は、トランジスターＴ１のゲートとドレインとが１つに接続されて１つのダイオード形態となっているので、必然的にノードＰ４の電圧よりも大きいものであり、もしもノードＰ２の電圧がノードＰ４の電圧に等しい場合、トランジスターＴ１およびトランジスターＴ２を流れる電流量が異なったものとなっていた。電流源Ｉ３の電流もトランジスターＴ１によりカレントミラーされて発生したものであるから、電流源Ｉ３の電流は、トランジスターＴ１を流れた電流と同等なものとなる。従って、全体的に見ると、電流源Ｉ２と電流源Ｉ３とが同等なものとはならず、電流源Ｉ３が電流源Ｉ２より大きいものとなっていた。電流源Ｉ２と電流源Ｉ３との差異が大きくなればなるほど、低域通過型フィルター１４を経た後で、その電圧変化の起伏がたいへん大きなものとなる。従って、電圧制御発振器１６の出力電圧のジターがより大きなものとなっていた。
【０００６】
また、線形領域で動作するトランジスターは電気抵抗とみなすことができるから、出力点の電圧変化は、ノードＰ１，Ｐ４に影響を及ぼして、電流源Ｉ２，Ｉ３の値を変化させるものとなっていた。
【０００７】
そこで、この発明の第１の目的は、構成する主要なスイッチングトランジスターが飽和領域で動作し、チャージポンプ内部でスイッチとなるトランジスターの電荷注入現象を極めて微小なものとする、ロークロック・フィードスルー・チャージポンプ回路を提供することにある。また、その第２の目的は、構成する主要なトランジスターが飽和領域で動作し、チャージポンプ内部の電流源の電流量を同等なものとして、低い動作電圧環境で動作することができる、ロークロック・フィードスルー・チャージポンプ回路を提供することにある。さらに、その第３の目的は、電圧制御発振器に入力される信号の起伏を大幅に低減させて、電圧制御発振器が出力する出力信号のジターを減少させ、位相同期ループの出力信号の周波数を安定させることができる、ロークロック・フィードスルー・チャージポンプ回路を提供することにある。
【０００８】
【課題を解決するための手段】
上記課題を解決し、所望の目的を達成するために、この発明にかかるロークロック・フィードスルー・チャージポンプ回路は、それぞれが電流源となる、ソースを電源に接続する第１ポンプトランジスターおよびソースを接地する第２ポンプトランジスターと、第１〜第４のスイッチング手段であって、それぞれ第１端、第２端、第３端を有し、第１および第２スイッチング手段の第１端を第１ポンプトランジスターのドレインに接続するとともに、第３および第４スイッチング手段の第２端を第２ポンプトランジスターのドレインに接続し、第１および第２スイッチング手段の第２端をそれぞれ第３および第４スイッチング手段の第１端に接続し、かつ第１および第２スイッチング手段の第３端を相互接続し、第３および第４スイッチング手段の第３端を相互接続するものにおいて、第１〜第４のスイッチング手段が、それぞれ、第１ポンプトランジスターに接続されるとともに、飽和領域で動作するスイッチングトランジスターと、それぞれ線形領域で動作し、電源とスイッチングトランジスターのゲートとの間に接続される第１制御トランジスター、および第３端とスイッチングトランジスターのゲートとの間に接続される第２制御トランジスターと、回路に必要なバイアスを提供するものであって、電源および第１ポンプトランジスターのゲートならびにスイッチング手段の第３端に接続される第１ワイドスイングカレントミラーと、接地端に接続され、第２ポンプトランジスターのゲートおよび第４スイッチング手段の第３端に接続される第２ワイドスイングカレントミラーとを設けたものである。そして、第１ワイドスイングカレントミラーが、さらに、電源と接地端との間に接続され、２トランジスターのカスコードにより構成されるものであって、第１トランジスターのゲートを第１スイッチング手段の第３端に接続し、第２トランジスターのゲートを第１ポンプトランジスターのゲートおよび第１トランジスターのドレインに接続する第１カスコードトランジスター回路と、第１カスコードトランジスター回路に接続される第１電流バイアス回路とから構成される。また、第２ワイドスイングカレントミラーが、さらに、
２トランジスターのカスコードにより構成されるものであって、第１トランジスターのゲートを第４スイッチング手段の第３端に接続し、第２トランジスターのゲートを第２ポンプトランジスターのゲートおよび第１トランジスターのドレインに接続するとともに、入力電流源を第１トランジスターのドレインに接続して、ロークロック・フィードスルー・チャージポンプ回路の入力電流を提供する第２カスコードトランジスター回路と、第１電流バイアス回路、第１カスコードトランジスター回路、第２カスコードトランジスター回路、第４スイッチング手段、第２ポンプトランジスター間に接続される複数個のカスコードトランジスター回路と、複数個のカスコードトランジスター回路に接続される第２電流バイアス回路とから構成される。
【０００９】
【作用】
２つのワイドスイングカレントミラー（wide-swing current mirror）は、ロークロック・フィードスルー・チャージポンプ回路に必要なバイアスを提供するためのものである。２つのワイドスイングカレントミラーを利用することによって、発生される電流が、従来技術のバイアス回路よりも精確であるとともに、必要とされる電源電圧が一般のカスコードカレントミラーよりも低いものとなる。そして、第１および第２ワイドスイングカレントミラーのトランジスターが、飽和領域で動作するので、電流源となる第１および第２ポンプトランジスターが同等な電流量を有するものとなる。また、第１〜第４のスイッチング手段を構成する主要なトランジスターが、飽和領域で動作するので、この発明にかかるロークロック・フィードスルー・チャージポンプ回路により、電圧制御発振器へ入力される信号の起伏を大幅に低減させて、電圧制御発振器の出力信号のジターを減少させることができるから、位相同期ループ（ＰＬＬ）の出力信号の周波数を安定したものにすることができる。
【００１０】
【実施例】
以下、この発明にかかる好適な実施例を図面に基づいて説明する。
図３において、この実施例は、第１ポンプトランジスターＣ１としてＰ型金属酸化膜半導体（p-type metal-oxide semiconductor）トランジスターを採用し、第２ポンプトランジスターＣ２としてＮ型金属酸化膜半導体（n-type metal-oxide semiconductor）トランジスターを採用するものである。第１スイッチング手段２２ａおよび第２スイッチング手段２２ｂを構成するトランジスターＭ１〜Ｍ６は、ＰＭＯＳトランジスターであり、第３スイッチング手段２２ｃおよび第４スイッチング手段２２ｄを構成するトランジスターＭ７〜Ｍ１２は、ＮＭＯＳトランジスターである。第１カスコードトランジスター回路２４ａを構成するトランジスターＭ１３，Ｍ１４およびバイアス回路２７ｂのトランジスターＭ１５，Ｍ１６，Ｑは、ＰＭＯＳトランジスターであり、第２カスコードトランジスター回路２６ａ〜２６ｄおよび電気回路２７ａのトランジスターＭ１７〜Ｍ２９は、ＮＭＯＳにより構成されている。但し、これらは一例に過ぎず、この発明を制限するためのものではない。
【００１１】
ロークロック・フィードスルー・チャージポンプ回路２０は、第１ポンプトランジスターＣ１および第２ポンプトランジスターＣ２を備え、第１ポンプトランジスターＣ１のソースが電源Ｖccに接続され、第２ポンプトランジスターＣ２のソースが接地されて、それぞれが電流源となるものである。
【００１２】
第１〜第４スイッチング手段２２ａ〜２２ｄは、それぞれ第１端（ノードＮ１，Ｎ４，Ｎ７，Ｎ１０）および第２端（ノードＮ２，Ｎ５，Ｎ８，Ｎ１１）ならびに第三端（ノードＮ３，Ｎ６，Ｎ９，Ｎ１２）を備えており、第１スイッチング手段２２ａおよび第２スイッチング手段２２ｂの第１端Ｎ１，Ｎ４と第１ポンプトランジスターＣ１のドレインとが接続され、第３スイッチング手段２２ｃおよび第４スイッチング手段２２ｄの第２端Ｎ８，Ｎ１１と第２ポンプトランジスターＣ２のドレインとが接続され、第１スイッチング手段２２ａおよび第２スイッチング手段２２ｂの第２端Ｎ２，Ｎ５が、それぞれ第３スイッチング手段２２ｃおよび第４スイッチング手段２２ｄの第１端Ｎ７，Ｎ１０に接続されている。また、第１スイッチング手段２２ａおよび第２スイッチング手段２２ｂの第３端Ｎ３，Ｎ６が相互接続され、第３スイッチング手段２２ｃおよび第４スイッチング手段２２ｄの第３端Ｎ９，Ｎ１２が相互接続されている（符号１８の枠右端を参照）。
【００１３】
この実施例において、上述した第１〜第４スイッチング手段２２ａ〜２２ｄは、いずれも３つのトランジスターから構成されている。第１スイッチング手段２２ａを例に取れば、第１スイッチング手段２２ａは、メインとなるスイッチングトランジスターＭ１が飽和領域で動作するものである。スイッチングトランジスターＭ１のソースと第１ポンプポンプトランジスターＣ１のドレインとが接続されている。制御トランジスターＭ２のソースが電源Ｖccと接続され、そのドレインがスイッチングトランジスターＭ１のゲートに接続されている。別な制御トランジスターＭ３がノードＮ３とスイッチングトランジスターＭ１のゲートとの間に接続されている。このような構成により、トランジスターＭ１が導通する時に、そのゲート電圧がＶcc/2より少し高くなるのであって、従来技術の０Ｖとはならない。従って、トランジスターＭ１が飽和領域で動作することができ、線形領域には進入することがない。同様に、スイッチング手段２２ｂ、２２ｃ、２２ｄを構成するトランジスターＭ４，Ｍ７，Ｍ１０も飽和領域で動作するものとなる。
【００１４】
トランジスターＭ２，Ｍ３は、線形領域で動作する。トランジスターＭ２が導通してトランジスターＭ３がオフとなる時、トランジスターＭ１のゲート電圧がＶccに変わり、これによりトランジスターＭ１がオフになる。トランジスターＭ２がオフでトランジスターＭ３が導通である時、トランジスターＭ１のゲート電圧は、ノードＮ３のノード電圧によって決定され、ノードＮ３の電圧は、バイアス回路２７ａ（符号１８の枠左下）により決定される。従って、トランジスターＭ１の導通電圧は、ノードＮ３の電圧がＶccになるまでであり、０ＶからＶccまでではない。また、トランジスターＭ１が導通して飽和領域で動作する時、ドレインの等価電気容量は、トランジスターＭ１が線形領域で動作する時よりも小さいものとなる。かくして、トランジスターＭ１が飽和領域で動作する時、ドレインに保存される電荷はトランジスターＭ１が線形領域で動作する時よりも少ないものとなる。トランジスターＭ１が非導通である時には、発生する電荷注入現象が比較的微小なものとなる。これは、発振制御回路の電圧を安定化させることにとって大きな助けとなる。
【００１５】
ワイドスイングカレントミラー１８の第１ワイドスイングカレントミラー１９ａには、第１カスコード（cascode）トランジスター回路２４ａおよびバイアス回路２７ｂが含まれ、それぞれトランジスター（Ｍ１３，Ｍ１４）ならびにトランジスター（Ｍ１５，Ｍ１６，Ｑ）から構成されている。第１カスコードトランジスター回路２４ａは、第１ポンプトランジスターＣ１に一定値の電流源を提供するためのもので、トランジスターＭ１３，Ｍ１４をカスコード（cascode）方式で直列接続したものであって、トランジスターＭ１４のゲートを第１スイッチング手段２２ａの第３端Ｎ３に接続し、トランジスターＭ１３のゲートを第１ポンプトランジスターＣ１のゲートに接続するとともに、トランジスターＭ１４のドレインをトランジスターＭ１３のゲートに接続している。バイアス回路２７ｂは、トランジスターＭ１５，Ｍ１６によりカスコード（cascode）方式で直列接続したもので、トランジスターＭ１６のゲートを第１スイッチング手段２２ａの第３端Ｎ３に接続し、トランジスターＭ１５のゲートを負荷であるトランジスターＱに接続するとともに、トランジスターＭ１６のドレインとゲートとを相互接続している。第１カスコードトランジスター回路２４ａおよびバイアス回路２７ｂは、１つのカレントミラー（current mirror）装置を構成しており、第１ポンプトランジスターＣ１に一定値の電源源を提供するためのものである。
【００１６】
第１および第２ワイドスイングカレントミラー（wide-swing current mirror）１９ａ，１９ｂは、ロークロック・フィードスルー・チャージポンプ回路２０に必要なバイアスを提供するためのものである。第１および第２ワイドスイングカレントミラー１９ａ，１９ｂを利用することにより、発生する電流が従来のバイアス回路と比較して精確であり、かつ必要とされる電源電圧を低いものとすることができる。第１ワイドスイングカレントミラー１９ａは、主要には上述した第１カスコードトランジスター回路２４ａおよびバイアス回路２７ｂから構成され、第２ワイドスイングカレントミラー１９ｂは、上述した第２カスコードトランジスター回路２６ａ，２６ｂ，２６ｃ，２６ｄならびにバイアス回路２７ａから構成されている。
【００１７】
第２ワイドスイングカレントミラー１９ｂ中のカスコードトランジスター回路２６ａ，２６ｂ，２６ｃは、それぞれ第１カスコードトランジスター回路２４ａおよびバイアス回路２７ｂならびに接地間に接続されている。カスコードトランジスター回路２６ａ，２６ｂ，２６ｃおよび第２のカスコードトランジスター回路２６ｄならびにバイアス回路２７ａは、それぞれトランジスター（Ｍ１７，Ｍ１８）（Ｍ１９，Ｍ２０）（Ｍ２１，Ｍ２２）（Ｍ２３，Ｍ２４）ならびに（Ｍ２７，Ｍ２８，Ｍ２９）から構成され、そのうちトランジスターＭ１７，Ｍ１９，Ｍ２１，Ｍ２３のゲートがいずれも第３スイッチング手段の第３端Ｎ９に接続されており、別なトランジスターＭ１８，Ｍ２０，Ｍ２９のゲートが第２ポンプトランジスターＣ２のゲートに接続されている。なお、第１および第２カスコードトランジスター回路２４ａ，２６ｄおよび２６ａ，２６ｂ，２６ｃ，２７ａ，２７ｂを構成するトランジスターＭ１３、Ｍ１４，Ｍ１６，Ｍ１７〜２４，Ｍ２７，Ｍ２９は、飽和領域で動作する。
【００１８】
チャージポンプ２０の入力電流源Ｉ１（符号１８の中央）は、カレントミラー方式により電流を第２カスコードトランジスター回路２６ｄからカスコードトランジスターへミラーリング（mirroring）して、第１カスコードトランジスター回路２４ａを流れる電流を入力電流源Ｉ１と同等なものとする。電圧制御発振器（ＶＣＯ）のノードＮ５から見ると、トランジスターＭ１０と第２ポンプトランジスターＣ２（電流源）とがカスコード形態を構成しているので、第２カスコードトランジスター回路２６ｄから第２ポンプトランジスターＣ２へミラーリングされる電流は、入力電流源Ｉ１に等しい。また、トランジスターＣ１とトランジスターＭ４ともまたカスコード形態であるから、トランジスターＣ１を流れる電流と第１カスコードトランジスター回路２４ａを流れる電流とは、同等である。さらに、第１カスコードトランジスター回路２４ａを流れる電流が入力電流源Ｉ１に等しいから、入力電流源Ｉ１の第１および第２ポンプトランジスターＣ１，Ｃ２を流れる電流量が同等なものとなる。従って、カスコードトランジスターを利用することによって、従来技術にかかるチャージポンプの２電流源の電流量差異が大き過ぎるという欠点を改善することができる。
【００１９】
この発明にかかるチャージポンプ回路２０中のトランジスターＭ１，Ｍ４，Ｍ７，Ｍ１０は、飽和領域で動作するので、電荷注入現象を大幅に改善することができる。この発明にかかるロークロック・フィードスルー・チャージポンプ回路によって、２電流源となる第１ポンプトランジスターＣ１および第２ポンプトランジスターＣ２の電流量を精確に制御して、電圧制御発振器（ＶＣＯ）へ出力される信号を極めて安定したもの、つまり起伏が極めて少ないものとすることができる。従って、電圧制御発振器ＶＣＯの出力信号の周波数を安定したものとすることができる。
【００２０】
以上をまとめれば、トランジスターＭ１，Ｍ４，Ｍ７，Ｍ１０が飽和領域で動作するので、それらが導通する時に、電荷がソース寄りの一側に蓄積され、かつドレインの接続電気容量も線形領域での動作時より小さく、トランジスターのゲート電圧変化が比較的小さいため、ドレインに蓄積される電荷が少ないから、トランジスターがオフとなる時、電荷がドレインから放出される量も極めて少なくなって、出力点の電圧値に及ぼす影響も極めて小さいものとなる。また、この発明の技術思想に基づいて、トランジスターＭ１，Ｍ４，Ｍ７，Ｍ１０が飽和領域において動作するので、その出力点の電圧変化が、第１ポンプトランジスターＣ１および第２ポンプトランジスターＣ２の電流に影響を及ぼすことは難しい。さらに、電流源となる第１ポンプトランジスターＣ１および第２ポンプトランジスターＣ２が、カスコード構造となっており、第１ポンプトランジスターＣ１および第２ポンプトランジスターＣ２が提供する電流を入力電流源の電流Ｉ１に非常に近いものとすることができる。
【００２１】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【００２２】
【発明の効果】
上記構成により、この発明は、飽和領域で動作するカスコードトランジスターおよびスイッチングトランジスター構造を備えて、チャージポンプ内部の２電流源の電流量を同等なものとすることができる。また、スイッチング手段であるトランジスター回路が、飽和領域で動作するトランジスターと、線形領域で動作して前記トランジスターを制御する２つのトランジスターとを有しているので、電荷注入現象を解消することができる。さらに、チャージポンプが電圧制御発振器へ出力する電圧が非常に安定しており、激烈な起伏変化を発生させることがないので、ジターを大幅に改善することができる。そして、この発明にかかる位相同期ループ（ＰＬＬ）回路は、安定した電圧周波数で出力することができる。従って、産業上の利用価値が高い。
【図面の簡単な説明】
【図１】図１は、位相同期ループ（ＰＬＬ）回路を示すブロック図である。
【図２】図２は、従来技術にかかるチャージポンプ回路を示す回路構成図である。
【図３】図３は、この発明にかかるロークロック・フィードスルー・チャージポンプ回路を示す回路構成図である。
【符号の説明】
１８    ワイドスイングカレントミラー
１９ａ  第１ワイドスイングカレントミラー
１９ｂ  第２ワイドスイングカレントミラー
２０    ロークロック・フィードスルー・チャージポンプ回路
２２ａ  第１スイッチング手段
２２ｂ  第２スイッチング手段
２２ｃ  第３スイッチング手段
２２ｄ  第４スイッチング手段
２４ａ  第１カスコードトランジスター回路
２６ｄ  第２カスコードトランジスター回路
２６ａ  カスコードトランジスター
２６ｂ  カスコードトランジスター
２６ｃ  カスコードトランジスター
２７ａ  バイアス回路
２７ｂ  バイアス回路
３０    バッファー
３２    低域通過型フィルター
Ｃ１    ポンプトランジスター（電流源）
Ｃ２    ポンプトランジスター（電流源）
【図１】
0003805585.tif 000002
【図２】
0003805585.tif 000003
【図３】
0003805585.tif 000004